(57)【要約】【課題】本発明は、検査技師の感覚に頼ることなく、容易に検体の所在を探索できる臨床検査システムを提供すること。【解決手段】本発明は、検査室に配置された複数の検査装置と、前記複数の検査装置に備えられ、かつ複数の収納部が配置される検体置場と、前記複数の検査装置の配置された位置を示す検査装置の区分座標と、検査内容に応じ、検査される検体が前記検査装置を辿るルートが前記検査装置の区分座標と対応付けられている検査処理ルートのプログラムとを有することを特徴とする。【選択図】図１
2006145429.tif 000002
【特許請求の範囲】
【請求項１】
検査室に配置された複数の検査装置または手動検査と、前記複数の検査装置に備えられ、かつ複数の収納部が配置される検体置場と、前記複数の検査装置の配置された位置を示す検査装置の区分座標と、検査内容に応じ、検査される検体が前記検査装置を辿るルートが前記検査装置の区分座標と対応付けられている検査処理ルートのプログラムとを有することを特徴とする臨床検査システム。
【請求項２】
請求項１記載の臨床検査システムにおいて、
個々の前記検査装置には、検査に来た順に前記検体が順番を揃えて前記検体置場の収納部に収納されることを特徴とする臨床検査システム。
【請求項３】
請求項１記載の臨床検査システムにおいて、
検査に来る前記検体の順番を数えるカウンターを有することを特徴とする臨床検査システム。
【請求項４】
サーバと、検査室と、検査受付室と、診察室と、これらを結ぶローカル．エリア．ネットワークとを有する臨床検査システムにおいて、
前記検査室は、配置される複数の検査装置を備え、
前記複数の検査装置は、複数の収納部が配置される検体置場を備え、
前記複数の検査装置の配置された位置を示す検査装置の区分座標と、検査内容に応じ、検査される検体が前記検査装置を辿るルートが前記検査装置の区分座標と対応付けられている検査処理ルートのプログラムとがサーバに備わることを特徴とする臨床検査システム。
【請求項５】
請求項１から４の何れか一つに記載された臨床検査システムにおいて、
前記検体の検査処理状況を示すディスプレイを含む表示手段を有することを特徴とする臨床検査システム。
【請求項６】
請求項５記載の臨床検査システムにおいて、
前記表示手段に前記検体を所在を示す表示画面を表示することを特徴とする臨床検査システム。
【発明の詳細な説明】
【技術分野】
【０００１】
発明は、血液、尿等の生体試料である検体の定性・定量分析の測定データ、または、内臓等の生理機能の測定データを管理する臨床検査システムを係り、特に検体の運用管理を行なう機能を有する臨床検査システムに関する。
【背景技術】
【０００２】
臨床検査システムは、例えば、特開２００３−３２９６９０号公報（特許文献１）に示すように検査の進捗状況が分かるように管理されている。
【０００３】
【特許文献１】特開２００３−３２９６９０号公報
【発明の開示】
【発明が解決しようとする課題】
【０００４】
しかし、上記従来の臨床検査システムでは、検査の進捗状況が良く分かるように管理されているが、検査する検体の探索に関しては、特に配慮されていない。
【０００５】
検体の探索について、実情を述べる。検査室内に在る検体の所在探索は、検査技師の日常的に作業で、検査技師の感覚に委ねられている。この所在探索に時間が費やされ、検査技師は検査本来の作業に専念できない。
【０００６】
本発明は、上記の問題に鑑み、検査技師の感覚に頼ることなく、容易に検体の所在を探索できる臨床検査システムを提供することを目的とする。
【課題を解決するための手段】
【０００７】
本発明は、検査室に配置された複数の検査装置と、前記複数の検査装置に備えられ、かつ複数の収納部が配置される検体置場と、前記複数の検査装置の配置された位置を示す検査装置の区分座標と、検査内容に応じ、検査される検体が前記検査装置を辿るルートが前記検査装置の区分座標と対応付けられている検査処理ルートのプログラムとを有することを特徴とする。
【発明の効果】
【０００８】
本発明によれば、検体が所在するところを容易に探索できる。
【発明を実施するための最良の形態】
【０００９】
本発明の実施形態に係わる実施例について図を引用して説明する。
【００１０】
まず、図１に沿って臨床検査システムの概要から述べる。
【００１１】
サーバ１は、検査に関する情報を格納する記憶部２、検査システム管理等のプログラム３を格納する記憶部２を有する。このサーバ１は、ＬＡＮを介して検査室４、検査受付室５、診療室６等に接続される。
【００１２】
検査室４は、種々の検体の検査、分析、計測等を行なう各種の検査装置４１が並ぶように配置されている。検査装置４１は端末４２を有し、検査に関する情報のやり取りをサーバ１との間で行なう。
【００１３】
検査受付室５では、検査の受付業務や検体採取等を行なう。検査受付室５には、採取台５１、端末５２等が備わる。採取台５１で検体の採取行なう。端末４２で、検査に関する情報のやり取りをサーバ１との間で行なう。
【００１４】
採取された検体は、検体移送手段により行なわれる。検体移送は人手によっても行なわれる。
【００１５】
診療室６は、医師用机６１、端末６２が備わる。端末６２で検査依頼や検査データの入手等を行なう。
【００１６】
検査受付室について、図２を加えて更に詳しく述べる。
【００１７】
検査受付室５では、検体採取５０１、検体情報の作成・登録５０１やバーコードのラベル作成等が行なわれる。また、検体へのラベル貼付５０２や検体移送等の作業が行なわれる。
【００１８】
検体情報の作成・登録５０１では、受付番号Ｓ５０１０、受付日Ｓ５０１１、患者名Ｓ５０１２、患者番号Ｓ５０１３、検体番号Ｓ５０１４、検体種番号Ｓ５０１５、検査内容Ｓ５０１６（検査／測定／分析項目）が作成され、バーコードのラベル等に記入される。また、検体情報の作成・登録５０１の検体情報や検査に関する情報は、端末５２によりサーバ１に格納される。
【００１９】
端末５２は、ディスプレイを含む表示手段を有する。表示手段には、各種の表示画面を表示して検査の実行を容易に行なう。
【００２０】
検査室について、図２を加えて更に詳しく述べる。
【００２１】
ここでは、血液の検体を例示している。
【００２２】
検査室４１には、多数の検査装置４１が配置されている。検査装置４１は、Ａ.Ｂ.Ｃ.Ｄ.Ｅ.Ｆ.Ｇと番付されて配列されている。横列の（１）.（２）.（３）.（４）.……の表示は、検査の横列処理順番号とする。縦列の（イ）.（ロ）.（ハ）.……の表示は、検査の縦列処理順番号とする。
【００２３】
各検査装置４１の配置は、横列処理順番号（１）.（２）.（３）.（４）.……と、縦列処理順番号（イ）.（ロ）.（ハ）.……区分される。したがって、各検査装置４１の配置は、横列処理順番号と縦列処理順番号の区分座標として把握される。例えば、Ａ検査装置４１は、横列処理順番号（１）と縦列処理順番号（イ）との区分座標に位置する。
【００２４】
また、Ｃ検査装置４１は、横列処理順番号（３）と縦列処理順番号（イ）との区分座標に位置する。さらに、Ｅ検査装置４１は、横列処理順番号（２）と縦列処理順番号（ロ）との区分座標に位置する。また、Ｇ検査装置４１は、横列処理順番号（３）と縦列処理順番号（ハ）との区分座標に位置する。この検査装置の区分座標は、検査システム管理のプログラム等が格納される記憶部３に格納される。
【００２５】
各検査装置４１は、検査機器本体４１０、検体受口４１１、検体置場４１２、端末４２を有する。各検査装置４１は、自動検査装置、手動検査を含む。
【００２６】
例えば、搬送されてきた親検体７０は、Ａ検査装置４１の検体受口４１１に受け取られ、検査機器本体４１０内を経由して検体置場４１２に置かれる。検査機器本体４１０は、親検体７０から検体を少し採取して検査を行う。
【００２７】
Ａ検査装置４１の検体置場４１２からＢ検査装置４１に移送される際に、親検体７０から検体の一部が分注手段８０で分けられて子検体７１が作られる。この子検体７１は、Ｅ検査装置４１の検体受口４１１に受け取られ、検査機器本体４１０内を経由して検体置場４１２に置かれる。
【００２８】
Ｅ検査装置４１の検体置場４１２からＢ検査装置４１に移送される際に、子検体７１から検体の一部が分注手段８０で分けられて孫検体７２が作られる。この孫検体７１は、Ｇ検査装置４１の検体受口４１１に受け取られ、検査機器本体４１０内を経由して検体置場４１２に置かれる。親検体が子検体、孫検体、……に分けられ、並行して検査ができるので、検査時間が短縮化され、検査の要求期限に対処できる。
【００２９】
これらの検査装置４１での検査結果は、端末４２を通じて自動的に送られ、サーバ１に格納される。検体置場４１２に検体を置いた検体の位置情報も端末４２を通じてサーバ１に格納される。また、個々の検査装置４１で行なうオプション的な検査に関する情報のやり取りは、マニアル操作により、端末４２を通じて送られ、サーバ１に格納される。
【００３０】
検体の位置情報は、検体受口４１１に検体を受けた際に検知する。または検体置場４１２に置かれた際に位置情報を検知しても良い。
【００３１】
検査装置４１に検査される検査処理フローは、検体情報の作成・登録に記載される検査内容や検査の要求期限等によって決まる。この検査内容や検査の要求期限と、検査処理フローとの対応関係は、検査処理ルートのプログラムにより構築される。
【００３２】
すなわち、検査内容に応じ、検体が検査装置４１を辿るルートが検査装置の区分座標と対応付けられた検査処理ルートのプログラムを有し、このプログラムは検査システム管理のプログラム等が格納される記憶部３に格納されている。このため、検体に記載されている検査内容や検査の要求期限等に関する検査情報に基づいて、検査処理ルートを辿る検査処理が検査処理ルートのプログラムの指示により実行される。
【００３３】
このように検査内容が特定されると、検査室４内の検査装置４１を辿る検体の処理フローが定まる。このため、検査中に検体が、どこの検査装置に所在するのか、その所在を探すことができる。
【００３４】
検体の探索について、図４から図９を引用して詳しく述べる。
【００３５】
検査中に検体は、図４に示すように検体置場を移動する。各検査装置の検体置場４１２には、検体を置く複数の収納部が配置されて備わる。
【００３６】
検体の収納部は、横列置順番号１．２．３．……と、縦列置順番号０．１．２．３．……の座標によって区分される。したがって、各収納部の配置は、横列置順番号と横列置順番号の区分座標で把握される。
【００３７】
収納部の順番は、先頭が横列置順番号１と縦列置順番号０で、右方向に順番が後になる。縦列置順番号が下がるに従い、さらに順番が後になる並び順序に定まっている。
【００３８】
検査装置に来た順に検体は、順番のとおり収納部に収納されるようにプログラムされており、この収納順番を定めたプログラムも検査システム管理のプログラム等が格納される記憶部３に格納されている。
【００３９】
検査装置には、検体を来た順に数えるカウンターが備わる。検体は来た順に検体置場の収納部に順番のとおり置かれるので、カウンターの数えで、どの検体がどこに収納されているのか、所在を掴むことができる。
【００４０】
○は、検体の到着または検査機器本体４１０による検査中を示す。◎は、検体の検査完了または検査結果をサーバ１に入力済みを示す。●は、次の検査に移行又は検査終了を示す。
【００４１】
Ａ．Ｂ．Ｃ検査装置の検体置場を移動する検体の置き順番は、図４より明らかなように、検査装置に来た順から上位に置かれる。Ａ．Ｂ．Ｃ検査装置の検体置場に応じて置き順番は、変わって来る。
【００４２】
また、Ａ検査装置の検体置場の区分座標（４・０／５・０）には、検体は存在せず、其処にあった検体は次の検査装置に移送されている。Ｂ検査装置の検体置場の区分座標（２・０）にも、検体は存在せず、其処にあった検体は次の検査装置に移送されている。
【００４３】
このため、Ａ検査装置の検体置場の区分座標（４・０／５・０）の収納部は空のままに置かれ、後から検査に入って来る検体は区分座標（４・０／５・０）のところには収納されない。この臨床検査システムは、一日単位で繰り返し稼動するので、翌日は最初から検査が始まる。
【００４４】
図５に沿って検体の移動表示について、検査装置との関係で説明する。
【００４５】
この表示画面は、検査室の端末に表示される。画面の上側は、検体を特定する患者名や患者番号等の情報が表示され、下側には、特定された検体が各検査装置を検査のために移動する検査の処理フローが表示される。
【００４６】
この表示画面により、検査の処理状況を知ることができる。
【００４７】
バーコード又は日付と受付番号を入力し、検索処理を実行すると、検査の処理フローが表示される。
【００４８】
日付と受付番号だけで、検索処理をした場合には、複数の検体が存在し、検体種が特定されないので、検査の処理フローの表示画面は表示されない。検体種番号の表示欄中より、特定の検体番号を検索処理することにより、検査の処理フローが表示される。
【００４９】
ここでは、検体種番号０１９のボタンを押して検索処理した画面を表示している。検体種番号を押すと、別の画面に切り替わる。
【００５０】
検査の処理フローの画面で、斜線表示個所は検体の到着または検査終了を示す。Ｄ・Ｇ検査装置での検査が残っている。全体の検査が終了していないのとが分かる。
【００５１】
⇒⇒の表示は、検体種番号０１９の検査処理フローから除かれているところを示す。＝の表示は、親検体のルートを示す。→の表示は、子検体または分注された分注検体を示す。
【００５２】
検査装置の検体置場に出入りする検体の処理状況について、図６を沿って説明する。
【００５３】
この表示画面は、Ａ検査装置の検体置場に出入りする検体を示す。
【００５４】
バーコードにより、検体を特定し、検索処理することにより、収納部の区分座標（５・０）が斜線表示される。この表示により、該当する検体はＡ検査装置での検査が終了し、Ａ検査装置の検体置場に存在または次の検査に移動していることが理解できる。
【００５５】
この表示画面を利用することで、該当する検体の所在を容易に知ることができる。再検する場合に、検査技師は、該当検体を容易に探すことができ、検査を速やか行なうことができる。
【００５６】
検査予定の検体の現在位置状況について、図７に沿って説明する。
【００５７】
この表示画面は、Ｄ検査装置に来る予定の検体が現在どの検査装置に検体置場に所在するのかを示している。予定された三つの検体が、現在、Ｃ．Ｂ．Ａの検査装置に在ることを示している。
【００５８】
検索条件や表示順は、選択できる。検索条件１は、Ｄ検査装置に未到着の検体のみを示す。検索条件２は、Ｄ検査装置に、未到着／到着済を含む全て検体を示す。表示順１は、検査装置に到着した順で示す。表示順２は、検査の処理フローに基づき、指定した検査から遡って検体を検査順に示す。
【００５９】
この表示画面は、例えば、Ｄ検査装置での検査を外注に依頼する検体をまとめて探すときに好都合である。
【００６０】
再検査する検体の探索について、図８、図９に沿って説明する。
【００６１】
先にも触れたように、何かの事情により、再検が必要な場合には該当する検体を速やかに探し出して検査を行う。この再検査の検体探索に図８、図９の表示画面を使う。
【００６２】
図８の表示画面は、前述した図５の表示画面です。検体を特定する患者名や受付日を入力して検索し、更に検体種番号から検索することにより表示される。この検査の処理フロー表示状況画面上で、該当する検体が存在していると思われる検査装置のところのボタンを押すことにより、図９に示す表示画面が表示される。
【００６３】
この表示画面より、再検の該当検体がＥ検査装置の検体置場に在って、収納部の区分座標（５・０）に存在することが知ることができる。
【００６４】
また、カーソルのボタンが斜線表示の区分座標（５・０）のところに来ているので、そのボタンを押すことにより、検体の検査結果や検体の残量を含む表細が表示される。
【００６５】
本実施例の臨床検査システムにより、該当する検体の所在を容易に探索できるので、検査技師が検体を探し出す手間が省かれ、速やかに検査を行なうことができる。また、保存する検体の所在も容易に分かるので、保存作業も速やかに行なわれる。
【図面の簡単な説明】
【００６６】
【図１】本発明の実施例に係わるもので、臨床検査システムの全体構成を示す図。
【図２】本発明の実施例に係わるもので、検査室内の検査装置の配置を示す図。
【図３】本発明の実施例に係わるもので、検査受付室の作業内容を示す図。
【図４】本発明の実施例に係わるもので、各検査装置の検体置場を移動する検体の移動状況を示す図。
【図５】本発明の実施例に係わるもので、検体が検査されて検査装置を移転する状況を示す図。
【図６】本発明の実施例に係わるもので、Ａ検査装置の検体置場に出入りする検体の処理状況を示す図。
【図７】本発明の実施例に係わるもので、Ｄ検査装置に検査される検査予定の検体の現在位置を示す図。
【図８】本発明の実施例に係わるもので、再検査する検体を探す過程を示す図。
【図９】本発明の実施例に係わるもので、再検査する検体を探し当てたところを示す図。
【符号の説明】
【００６７】
４…検査室、４１…検査装置、７１…親検体、４１２…検体置場。
【図１】
2006145429.tif 000003
【図２】
2006145429.tif 000004
【図３】
2006145429.tif 000005
【図４】
2006145429.tif 000006
【図５】
2006145429.tif 000007
【図６】
2006145429.tif 000008
【図７】
2006145429.tif 000009
【図８】
2006145429.tif 000010
【図９】
2006145429.tif 000011